(57)【要約】【課題】  上衣の型くずれを抑制して上衣を掛けられるハンガー提供する。【解決手段】  従来のハンガーに変わって、フック部と長尺部と、左側を前記長尺部に連結し上衣の右側の肩部のカーブに沿って延びる輪郭を形成する右側肩形状保持部と、右側を前記長尺部に連結し上衣の左側の肩部のカーブに沿って延びる輪郭を形成する左側肩形状保持部と、前記長尺部に連結し前記長尺部に連結する箇所から上衣の襟元の右側に対応して右方向へ延びる部分である右側襟元形状保持部と、前記長尺部に連結し前記長尺部に連結する箇所から上衣の襟元の左側に対応して左方向へ延びる部分である左側襟元形状保持部と、を備え、前記右側襟元形状保持部が前から見て左右方向に延びて右端部を開放する少なくとも１本のスリットを形成され、前記左側襟元形状保持部が前から見て左右方向に延びて左端部を開放する少なくとも１本のスリットを形成される、ものとした。【選択図】    図１
2014168610.tif 000002
【特許請求の範囲】
【請求項１】
上衣を掛けられるハンガーであって、
一方の端部に自由端を形成し上部を上方向にＵ字状に湾曲し他方の端部を下方に向ける部分であるフック部と
上下方向に伸びる長尺形状を形成し上部を前記フック部の他方の端部に支持される部分である長尺部と、
上衣の右肩の側に位置し左側を前記長尺部に連結し上衣の右側の肩部のカーブに沿って延びる輪郭である右側肩部輪郭を形成する部分である右側肩形状保持部と、
上衣の左肩の側に位置し右側を前記長尺部に連結し上衣の左側の肩部のカーブに沿って延びる輪郭である左側肩部輪郭を形成する部分である左側肩形状保持部と、
上衣の襟元の右側に対応して位置し前記長尺部に連結し前記長尺部に連結する箇所から上衣の襟元の右側に対応して右方向へ延びる部分である右側襟元形状保持部と、
上衣の襟元の左側に対応して位置し前記長尺部に連結し前記長尺部に連結する箇所から上衣の襟元の左側に対応して左方向へ延びる部分である左側襟元形状保持部と、
を備え、
前記右側襟元形状保持部が前から見て上衣の右側の方向に延びて右端部を開放する少なくとも１本のスリットを形成され、
前記左側襟元形状保持部が前から見て上衣の左側の方向に延びて左端部を開放する少なくとも１本のスリットを形成される、
ことを特徴とするハンガー。
【請求項２】
前記右側襟元形状保持部が前から見て上下方向に整列し上衣の右側の方向に延びて右端部を開放する複数本のスリットを形成され、
前記左側襟元形状保持部が前から見て上下方向に整列し上衣の左側の方向に延びて左端部を開放する複数本のスリットを形成される、
ことを特徴とする請求項１に記載のハンガー。
【請求項３】
前記長尺部が横から見て途中から屈曲し下方に移るのに従って上衣の背側へ移る様に傾斜する傾斜部を有し、
前記右側襟元形状保持部の少なくとも一部と前記左側襟元形状保持部の少なくとも一部とが前記傾斜部で前記長尺部に各々に連結する、
ことを特徴とする請求項２に記載のハンガー。
【請求項４】
前記右側肩形状保持部が上衣の右肩の側に位置し左側を前記長尺部に連結し上から見て前記長尺部に連結する箇所から所定の距離だけ上衣の背面に移る様に延びさらに上衣の右側の肩部のカーブに沿って延びる輪郭である右側肩部輪郭を形成する部分であり、
前記左側肩形状保持部が上衣の左肩の側に位置し右側を前記長尺部に連結し上から見て前記長尺部に連結する箇所から所定の距離だけ上衣の背面に移る様に延びさらに上衣の左側の肩部のカーブに沿って延びる輪郭である左側肩部輪郭を形成する部分である、
ことを特徴とする請求項３に記載のハンガー。
【請求項５】
前記右側肩形状保持部が上衣の右肩の側に位置し左側を前記長尺部に連結し上から見て前記長尺部に連結する箇所から上衣の背側へ移るに従って右方向に移る様に傾斜して延びさらに上衣の右側の肩部のカーブに沿って延びる輪郭である右側肩部輪郭を形成する部分であり、
前記左側肩形状保持部が上衣の左肩の側に位置し右側を前記長尺部に連結し上から見て前記長尺部に連結する箇所から上衣の背側へ移るに従って左方向に移る様に傾斜して延びさらに上衣の左側の肩部のカーブに沿って延びる輪郭である左側肩部輪郭を形成する部分である、
ことを特徴とする請求項４に記載のハンガー。
【請求項６】
上衣の右肩の側に位置し左側を前記長尺部に連結し上から見て前記長尺部に連結する箇所から上衣の背側へ移るに従って右方向に移る様に傾斜して延びさらに上衣の右側の襟首のカーブに沿って延びる輪郭を形成する部分である右側襟首形状保持部と、
上衣の左肩の側に位置し右側を前記長尺部に連結し上から見て前記長尺部に連結する箇所から上衣の背側へ移るに従って左方向に移る様に傾斜して延びさらに上衣の左側の襟首のカーブに沿って延びる輪郭を形成する部分である左側襟首形状保持部と、
を備えることを特徴とする請求項４に記載のハンガー。
【請求項７】
前記右側襟首形状保持部が下部を前記右側肩形状保持部に連結し前記右側肩形状保持部に連結する箇所から上衣の右側の襟首のカーブに沿って延びる輪郭を形成し、
前記左側襟首形状保持部が下部を前記左側肩形状保持部に連結し前記左側肩形状保持部に連結する箇所から上衣の左側の襟首のカーブに沿って延びる輪郭を形成する、
ことを特徴とする請求項６に記載のハンガー。
【請求項８】
前記右側肩形状保持部が前記右側肩部輪郭を形成する部分を前記長尺部に連結する箇所より下方の位置で前記長尺部に連結し上から見て前記長尺部に連結する箇所から上衣の背側へ移るに従って右方向に移る様に傾斜して延びさらに前記右側肩部輪郭より下方の位置を上衣の背に沿って延びる輪郭である右側下部輪郭を形成し、
前記左側肩形状保持部が前記左側肩部輪郭を形成する部分を前記長尺部に連結する箇所より下方の位置で前記長尺部に連結し上から見て前記長尺部に連結する箇所から上衣の背側へ移るに従って左方向に移る様に傾斜して延びさらに前記左側肩部輪郭より下方の位置を上衣の背に沿って延びる輪郭である左側下部輪郭を形成する、
ことを特徴とする請求項７に記載のハンガー。
【請求項９】
上衣の襟元の形状を保持するための襟元形状保持部材であって、
上衣の襟元の右側に対応して位置し上衣の襟元の右側に対応して右方向へ延びる部分である右側襟元形状保持部と、
上衣の襟元の左側に対応して位置し上衣の襟元の左側に対応して左方向へ延びる部分である左側襟元形状保持部と、
を備え、
前記右側襟元形状保持部が前から見て上衣の右側の方向に延びて右端部を開放する少なくとも１本のスリットを形成され、
前記左側襟元形状保持部が前から見て上衣の左側の方向に延びて左端部を開放する少なくとも１本のスリットを形成される、
ことを特徴とする襟元形状保持部材。
【発明の詳細な説明】
【技術分野】
【０００１】
本発明は、上衣を掛けられるハンガーに係る。特に、ワイシャツ、Ｔシャツ、ドレスシャツ等の上衣を掛けられるハンガーと襟元形状保持部材とに関する。
【背景技術】
【０００２】
保管等のために、上衣を掛けられるハンガーが用いられる。
例えば、ワイシャツ、Ｔシャツ、ドレスシャツ等を掛けるのにハンガーを用いる。
上衣をハンガーに掛けている際に、襟の形状が崩れ無いようにしたいという要請があった。
例えば、ワイシャツ、Ｔシャツ等をハンガーに掛けている際に、襟の形状が崩れ無いようにしたいという要請があった。
また、クリーニング業において、クリーニングをしたワイシャツをハンガー掛けする事は、現在において定番となっている。しかし、糊のきいたワイシャツのボタンを止める作業は、現場において大変にきつい作業である。この作業を省略できると作業性を向上させることができる。
そこで、今まで以上に、掛けた上衣の襟元は襟首の形状を崩れにくするハンガーを案出した。
【発明の概要】
【発明が解決しようとする課題】
【０００３】
本発明は以上に述べた問題点に鑑み案出されたもので、上衣の型くずれを抑制して上衣を掛けられるハンガーを提供する。また、ワイシャツのボタン掛けを省略しても見栄えを保つことをできるハンガーと襟元形状保持部材とを提供する。
【課題を解決するための手段】
【０００４】
上記目的を達成するため、本発明に係る上衣を掛けられるハンガーであって、一方の端部に自由端を形成し上部を上方向にＵ字状に湾曲し他方の端部を下方に向ける部分であるフック部と上下方向に伸びる長尺形状を形成し上部を前記フック部の他方の端部に支持される部分である長尺部と、上衣の右肩の側に位置し左側を前記長尺部に連結し上衣の右側の肩部のカーブに沿って延びる輪郭である右側肩部輪郭を形成する部分である右側肩形状保持部と、上衣の左肩の側に位置し右側を前記長尺部に連結し上衣の左側の肩部のカーブに沿って延びる輪郭である左側肩部輪郭を形成する部分である左側肩形状保持部と、上衣の襟元の右側に対応して位置し前記長尺部に連結し前記長尺部に連結する箇所から上衣の襟元の右側に対応して右方向へ延びる部分である右側襟元形状保持部と、上衣の襟元の左側に対応して位置し前記長尺部に連結し前記長尺部に連結する箇所から上衣の襟元の左側に対応して左方向へ延びる部分である左側襟元形状保持部と、を備え、前記右側襟元形状保持部が前から見て左右方向に延びて右端部を開放する少なくとも１本のスリットを形成され、前記左側襟元形状保持部が前から見て左右方向に延びて左端部を開放する少なくとも１本のスリットを形成される、ものとした。
【０００５】
上記本発明の構成により、フック部が、一方の端部に自由端を形成し上部を上方向にＵ字状に湾曲し他方の端部を下方に向ける部分である。長尺部が、上下方向に伸びる長尺形状を形成し上部を前記フック部の他方の端部に支持される部分である。右側肩形状保持部が、上衣の右肩の側に位置し左側を前記長尺部に連結し上衣の右側の肩部のカーブに沿って延びる輪郭である右側肩部輪郭を形成する部分である。左側肩形状保持部が、上衣の左肩の側に位置し右側を前記長尺部に連結し上衣の左側の肩部のカーブに沿って延びる輪郭である左側肩部輪郭を形成する部分である。右側襟元形状保持部が、上衣の襟元の右側に対応して位置し前記長尺部に連結し前記長尺部に連結する箇所から上衣の襟元の右側に対応して右方向へ延びる部分である。左側襟元形状保持部が、上衣の襟元の左側に対応して位置し前記長尺部に連結し前記長尺部に連結する箇所から上衣の襟元の左側に対応して左方向へ延びる部分である。前記右側襟元形状保持部が前から見て左右方向に延びて右端部を開放する少なくとも１本のスリットを形成される。前記左側襟元形状保持部が前から見て左右方向に延びて左端部を開放する少なくとも１本のスリットを形成される。
その結果、上衣をハンガーに掛けたときに、襟元の根元をスリットに差し込むことをでき、上衣の左右の肩部の形状を保持し、襟元の形状を保持できる。
【０００６】
以下に、本発明の実施形態に係るハンガーを説明する。本発明は、以下に記載した実施形態のいずれか、またはそれらの中の二つ以上が組み合わされた態様を含む。
【０００７】
本発明の実施形態に係るハンガーは、前記右側襟元形状保持部が前から見て上下方向に整列し左右方向に延びて右端部を開放する複数本のスリットを形成され、前記左側襟元形状保持部が前から見て上下方向に整列し左右方向に延びて左端部を開放する複数本のスリットを形成される。
上記実施形態の構成により、前記右側襟元形状保持部が前から見て上下方向に整列し左右方向に延びて右端部を開放する複数本のスリットを形成される、前記左側襟元形状保持部が前から見て上下方向に整列し左右方向に延びて左端部を開放する複数本のスリットを形成される。
その結果、上衣をハンガーに掛けたときに、上衣の大小に合わせて襟元の根元を複数のスリットのうちのどれかに差し込むことをでき、上衣の左右の肩部の形状を保持でき、襟元の形状を保持できる。
【０００８】
本発明の実施形態に係るハンガーは、前記長尺部が横から見て途中から屈曲し下方に移るのに従って上衣の背側へ移る様に傾斜する傾斜部を有し、前記右側襟元形状保持部の少なくとも一部と前記左側襟元形状保持部の少なくとも一部とが前記傾斜部で前記長尺部に各々に連結する。
上記の実施形態の構成により、前記長尺部が横から見て途中から屈曲し下方に移るのに従って上衣の背側へ移る様に傾斜する傾斜部を有する。前記右側襟元形状保持部の少なくとも一部と前記左側襟元形状保持部の少なくとも一部とが前記傾斜部で前記長尺部に各々に連結する。
その結果、上衣をハンガーに掛けたときに、襟元の根元を立体的に支持でき、上衣の左右の肩部の形状を保持でき、襟元の形状を保持できる。
【０００９】
本発明の実施形態に係るハンガーは、前記右側肩形状保持部が上衣の右肩の側に位置し左側を前記長尺部に連結し上から見て前記長尺部に連結する箇所から所定の距離だけ上衣の背面に移る様に延びさらに上衣の右側の肩部のカーブに沿って延びる輪郭である右側肩部輪郭を形成する部分であり、前記左側肩形状保持部が上衣の左肩の側に位置し右側を前記長尺部に連結し上から見て前記長尺部に連結する箇所から所定の距離だけ上衣の背面に移る様に延びさらに上衣の左側の肩部のカーブに沿って延びる輪郭である左側肩部輪郭を形成する部分である。
上記の実施形態の構成により、前記右側肩形状保持部が上衣の右肩の側に位置し左側を前記長尺部に連結し上から見て前記長尺部に連結する箇所から所定の距離だけ上衣の背面に移る様に延びさらに上衣の右側の肩部のカーブに沿って延びる輪郭である右側肩部輪郭を形成する部分であり、前記左側肩形状保持部が上衣の左肩の側に位置し右側を前記長尺部に連結し上から見て前記長尺部に連結する箇所から所定の距離だけ上衣の背面に移る様に延びさらに上衣の左側の肩部のカーブに沿って延びる輪郭である左側肩部輪郭を形成する部分である。
その結果、上衣をハンガーに掛けたときに、上衣の左右の肩部の形状を保持できる。
【００１０】
本発明の実施形態に係るハンガーは、前記右側肩形状保持部が上衣の右肩の側に位置し左側を前記長尺部に連結し上から見て前記長尺部に連結する箇所から上衣の背側へ移るに従って右方向に移る様に傾斜して延びさらに上衣の右側の肩部のカーブに沿って延びる輪郭である右側肩部輪郭を形成する部分であり、前記左側肩形状保持部が上衣の左肩の側に位置し右側を前記長尺部に連結し上から見て前記長尺部に連結する箇所から上衣の背側へ移るに従って左方向に移る様に傾斜して延びさらに上衣の左側の肩部のカーブに沿って延びる輪郭である左側肩部輪郭を形成する部分である。
上記の実施形態の構成により、前記右側肩形状保持部が上衣の右肩の側に位置し左側を前記長尺部に連結し上から見て前記長尺部に連結する箇所から上衣の背側へ移るに従って右方向に移る様に傾斜して延びさらに上衣の右側の肩部のカーブに沿って延びる輪郭である右側肩部輪郭を形成する部分である。前記左側肩形状保持部が上衣の左肩の側に位置し右側を前記長尺部に連結し上から見て前記長尺部に連結する箇所から上衣の背側へ移るに従って左方向に移る様に傾斜して延びさらに上衣の左側の肩部のカーブに沿って延びる輪郭である左側肩部輪郭を形成する部分である。
その結果、上衣をハンガーに掛けたときに、上衣の左右の肩部の形状を保持できる。
【００１１】
本発明の実施形態に係るハンガーは、上衣の右肩の側に位置し左側を前記長尺部に連結し上から見て前記長尺部に連結する箇所から上衣の背側へ移るに従って右方向に移る様に傾斜して延びさらに上衣の右側の襟首のカーブに沿って延びる輪郭を形成する部分である右側襟首形状保持部と、上衣の左肩の側に位置し右側を前記長尺部に連結し上から見て前記長尺部に連結する箇所から上衣の背側へ移るに従って左方向に移る様に傾斜して延びさらに上衣の左側の襟首のカーブに沿って延びる輪郭を形成する部分である左側襟首形状保持部と、を備える。
上記の実施形態の構成により、右側襟首形状保持部が、上衣の右肩の側に位置し左側を前記長尺部に連結し上から見て前記長尺部に連結する箇所から上衣の背側へ移るに従って右方向に移る様に傾斜して延びさらに上衣の右側の襟首のカーブに沿って延びる輪郭を形成する部分である。左側襟首形状保持部が、上衣の左肩の側に位置し右側を前記長尺部に連結し上から見て前記長尺部に連結する箇所から上衣の背側へ移るに従って左方向に移る様に傾斜して延びさらに上衣の左側の襟首のカーブに沿って延びる輪郭を形成する部分である。
その結果、上衣をハンガーに掛けたときに、上衣の襟首の形状を保持できる。
【００１２】
本発明の実施形態に係るハンガーは、前記右側襟首形状保持部が下部を前記右側肩形状保持部に連結し前記右側肩形状保持部に連結する箇所から上衣の右側の襟首のカーブに沿って延びる輪郭を形成し、前記左側襟首形状保持部が下部を前記左側肩形状保持部に連結し前記左側肩形状保持部に連結する箇所から上衣の左側の襟首のカーブに沿って延びる輪郭を形成する。
上記の実施形態の構成により、前記右側襟首形状保持部が下部を前記右側肩形状保持部に連結し前記右側肩形状保持部に連結する箇所から上衣の右側の襟首のカーブに沿って延びる輪郭を形成する。前記左側襟首形状保持部が下部を前記左側肩形状保持部に連結し前記左側肩形状保持部に連結する箇所から上衣の左側の襟首のカーブに沿って延びる輪郭を形成する。
その結果、上衣をハンガーに掛けたときに、上衣の襟首と肩とが繋がる形状を保持できる。
【００１３】
本発明の実施形態に係るハンガーは、前記右側肩形状保持部が前記右側肩部輪郭を形成する部分を前記長尺部に連結する箇所より下方の位置で前記長尺部に連結し上から見て前記長尺部に連結する箇所から上衣の背側へ移るに従って右方向に移る様に傾斜して延びさらに前記右側肩部輪郭より下方の位置を上衣の背に沿って延びる輪郭である右側下部輪郭を形成し、前記左側肩形状保持部が前記左側肩部輪郭を形成する部分を前記長尺部に連結する箇所より下方の位置で前記長尺部に連結し上から見て前記長尺部に連結する箇所から上衣の背側へ移るに従って左方向に移る様に傾斜して延びさらに前記左側肩部輪郭より下方の位置を上衣の背に沿って延びる輪郭である左側下部輪郭を形成する。
上記の実施形態の構成により前記右側肩形状保持部が前記右側肩部輪郭を形成する部分を前記長尺部に連結する箇所より下方の位置で前記長尺部に連結し上から見て前記長尺部に連結する箇所から上衣の背側へ移るに従って右方向に移る様に傾斜して延びさらに前記右側肩部輪郭より下方の位置を上衣の背に沿って延びる輪郭である右側下部輪郭を形成する。前記左側肩形状保持部が前記左側肩部輪郭を形成する部分を前記長尺部に連結する箇所より下方の位置で前記長尺部に連結し上から見て前記長尺部に連結する箇所から上衣の背側へ移るに従って左方向に移る様に傾斜して延びさらに前記左側肩部輪郭より下方の位置を上衣の背に沿って延びる輪郭である左側下部輪郭を形成する。
その結果、上衣をハンガーに掛けたときに、上衣の左右の背部の形状を保持できる。
【００１４】
上記目的を達成するため、本発明に係る上衣の襟元の形状を保持するための襟元形状保持部材であって、上衣の襟元の右側に対応して位置し上衣の襟元の右側に対応して右方向へ延びる部分である右側襟元形状保持部と、上衣の襟元の左側に対応して位置し上衣の襟元の左側に対応して左方向へ延びる部分である左側襟元形状保持部と、を備え、前記右側襟元形状保持部が前から見て上衣の右側の方向に延びて右端部を開放する少なくとも１本のスリットを形成され、前記左側襟元形状保持部が前から見て上衣の左側の方向に延びて左端部を開放する少なくとも１本のスリットを形成される、ものとした。
【００１５】
上記本発明の構成により、右側襟元形状保持部が、上衣の襟元の右側に対応して位置し上衣の襟元の右側に対応して右方向へ延びる部分である。左側襟元形状保持部が、上衣の襟元の左側に対応して位置し上衣の襟元の左側に対応して左方向へ延びる部分である。前記右側襟元形状保持部が前から見て左右方向に延びて右端部を開放する少なくとも１本のスリットを形成される。前記左側襟元形状保持部が前から見て左右方向に延びて左端部を開放する少なくとも１本のスリットを形成される。
その結果、襟元の根元をスリットに差し込むことをでき、襟元の形状を保持できる。
【００１６】
以下に、本発明の実施形態に係る襟元形状保持部材を説明する。本発明は、以下に記載した実施形態のいずれか、またはそれらの中の二つ以上が組み合わされた態様を含む。
【００１７】
本発明の実施形態に係る襟元形状保持部材は、前記右側襟元形状保持部が前から見て上下方向に整列し左右方向に延びて右端部を開放する複数本のスリットを形成され、前記左側襟元形状保持部が前から見て上下方向に整列し左右方向に延びて左端部を開放する複数本のスリットを形成される。
上記実施形態の構成により、前記右側襟元形状保持部が前から見て上下方向に整列し左右方向に延びて右端部を開放する複数本のスリットを形成される、前記左側襟元形状保持部が前から見て上下方向に整列し左右方向に延びて左端部を開放する複数本のスリットを形成される。
その結果、上衣の大小に合わせて襟元の根元を複数のスリットのうちのどれかに差し込むことをでき、襟元の形状を保持できる。
【発明の効果】
【００１８】
以上説明したように、本発明に係るハンガーは、その構成により、以下の効果を有する。
前記フック部の下に前記長尺部を連結し、右側肩形状保持部が前記長尺部の連結箇所から後方に延びさらに右側の肩部に沿って延びる輪郭を形成し、左側肩形状保持部が前記長尺部の連結箇所から後方に延びさらに左側の肩部に沿って延びる輪郭を形成し、水平に延び右端部を開放する少なくも１本のスリットを形成された前記右側襟元形状保持部が襟元に対応して前記長尺部に連結した箇所から右方向に延び、水平に延び左端部を開放する少なくも１本のスリットを形成された前記左側襟元形状保持部が襟元に対応して前記長尺部に連結した箇所から左方向に延びる様にしたので、上衣をハンガーに掛けたときに、襟元の根元をスリットに差し込むことをでき、上衣の左右の肩部の形状を保持し、襟元の形状を保持できる。
また、襟元形状保持部が上下方向に整列する複数本のスリットを形成される様にしたので、上衣をハンガーに掛けたときに、上衣の大小に合わせて襟元の根元を複数のスリットのうちのどれかに差し込むことをでき、上衣の左右の肩部の形状を保持でき、襟元の形状を保持できる。
また、襟元形状保持部の少なくとも一部が前記長尺部の途中から屈曲し下方に移るのに従って上衣の背側へ移る様に傾斜する傾斜部に連結する様にしたので、上衣をハンガーに掛けたときに、襟元の根元を立体的に支持でき、上衣の左右の肩部の形状を保持でき、襟元の形状を保持できる。
また、前記フック部の下に前記長尺部を連結し、右側肩形状保持部が前記長尺部の連結箇所から後方に延びさらに右側の肩部に沿って延びる輪郭を形成し、左側肩形状保持部が前記長尺部の連結箇所から後方に延びさらに左側の肩部に沿って延びる輪郭を形成する様にしたので、上衣をハンガーに掛けたときに、上衣の左右の肩部の形状を保持できる。
また、前記フック部の下に前記長尺部を連結し、右側肩形状保持部が前記長尺部の連結箇所から右側後方に傾斜して延びさらに右側の肩部に沿って延びる輪郭を形成し、左側肩形状保持部が前記長尺部の連結箇所から左側後方に傾斜して延びさらに左側の肩部に沿って延びる輪郭を形成する様にしたので、上衣をハンガーに掛けたときに、上衣の左右の肩部の形状を保持できる。
また、右側襟首形状保持部が前記長尺部の連結箇所から右側後方に傾斜して延びさらに右側の襟首に沿って延びる輪郭を形成し、左側襟首形状保持部が前記長尺部の連結箇所から左側後方に傾斜して延びさらに左側の襟首に沿って延びる輪郭を形成する様にしたので、上衣をハンガーに掛けたときに、上衣の襟首の形状を保持できる。
また、襟首の形状を保持する部分と肩の形状を保持する部分とを連結し、連結部から襟首に沿った輪郭を形成したので、上衣をハンガーに掛けたときに、上衣の襟首と肩とが繋がる形状を保持できる。
また、右側肩形状保持部が前記長尺部の連結箇所から右側後方に傾斜して延びさらに右側の肩部より下方の位置に沿って延びる輪郭を形成し、左側肩形状保持部が前記長尺部の連結箇所から左側後方に傾斜して延びさらに右側の肩部より下方の位置に沿って延びる輪郭を形成する様にしたので、上衣をハンガーに掛けたときに、上衣の左右の背部の形状を保持できる。
従って、上衣の型くずれを抑制して上衣を掛けられるハンガーを提供できる。
【００１９】
以上説明したように、本発明に係る襟元形状保持部材は、その構成により、以下の効果を有する。
水平に延び右端部を開放する少なくも１本のスリットを形成された前記右側襟元形状保持部が襟元に対応して前記長尺部に連結した箇所から右方向に延び、水平に延び左端部を開放する少なくも１本のスリットを形成された前記左側襟元形状保持部が襟元に対応して前記長尺部に連結した箇所から左方向に延びる様にしたので、襟元の根元をスリットに差し込むことをでき、襟元の形状を保持できる。
また、襟元形状保持部が上下方向に整列する複数本のスリットを形成される様にしたので、上衣をハンガーに掛けたときに、上衣の大小に合わせて襟元の根元を複数のスリットのうちのどれかに差し込むことをでき、襟元の形状を保持できる。
従って、襟元の形状を保持できる襟元形状保持部材を提供できる。
【図面の簡単な説明】
【００２０】
【図１】本発明の第一の実施形態に係るハンガーの正面図である。
【図２】本発明の第一の実施形態に係るハンガーの背面図である。
【図３】本発明の第一の実施形態に係るハンガーの平面図である。
【図４】本発明の第一の実施形態に係るハンガーの底面図である。
【図５】本発明の第一の実施形態に係るハンガーの側面図である。
【図６】本発明の第一の実施形態に係るハンガーのＡ−Ａ断面図である。
【図７】本発明の第二の実施形態に係るハンガーの正面図である。
【図８】本発明の第二の実施形態に係るハンガーの背面図である。
【図９】本発明の第二の実施形態に係るハンガーの平面図である。
【図１０】本発明の第二の実施形態に係るハンガーの底面図である。
【図１１】本発明の第二の実施形態に係るハンガーの側面図である。
【図１２】本発明の第二の実施形態に係るハンガーのＢ−Ｂ断面図である。
【図１３】本発明の実施形態に係るハンガーの作用説明図その１ある。
【図１４】本発明の実施形態に係るハンガーの作用説明図その２である。
【図１５】本発明の実施形態に係るハンガーの作用説明図その３である。
【図１６】本発明の第三の実施形態に係るハンガーの正面図である。
【図１７】本発明の第四の実施形態に係るハンガーの正面図である。
【図１８】本発明の第五の実施形態に係るハンガーの正面図である。
【図１９】本発明の第六の実施形態に係るハンガーの側面図である。
【図２０】本発明の第七の実施形態に係るハンガーの側面図である。
【図２１】本発明の第八の実施形態に係るハンガーの側面図である。
【図２２】本発明の第一の実施形態に係る襟元形状保持部材の正面図である。
【発明を実施するための形態】
【００２１】
以下、本発明を実施するための実施形態にかかるハンガーを、図面を基に、説明する。
ハンガー１０は、上衣を掛けられるものである。
上衣は、身体の上を覆うものである。
例えば、上衣は、ワイシャツ、Ｔシャツ、シャツ、等である。
上衣は、首回りを囲う襟首と襟元とを形成する。
襟首は、首回りの首に当たる箇所である。
襟元は、襟の合わさる胸元である。
ハンガーは、衣服を保管するために用いられる、
ハンガーは、選択した衣服を乾燥させるのに持ちいらせる。
以下では、仮に上衣をワイシャツであるとして、説明する。
説明の便宜上、上衣の被せる体形の右肩の側を右側と、左肩の側を左側として、説明する。
【００２２】
最初に、本発明の第一の実施形態にかかるハンガーを、図を基に、説明する。
図１は、本発明の第一の実施形態に係るハンガーの正面図である。図２は、本発明の第一の実施形態に係るハンガーの背面図である。図３は、本発明の第一の実施形態に係るハンガーの平面図である。図４は、本発明の第一の実施形態に係るハンガーの底面図である。図５は、本発明の第一の実施形態に係るハンガーの側面図である。図６は、本発明の第一の実施形態に係るハンガーのＡ−Ａ断面図である。
【００２３】
ハンガー１０は、フック部１１と長尺部１２と右側肩形状保持部１３ｒと左側肩形状保持部１３ｌとで構成される。
ハンガー１０は、フック部１１と長尺部１２と右側肩形状保持部１３ｒと左側肩形状保持部１３ｌと右側襟元形状保持部１５ｒと左側襟元形状保持部１５ｌとで構成されてもよい。
ハンガー１０は、フック部１１と長尺部１２と右側肩形状保持部１３ｒと左側肩形状保持部１３ｌと右側襟首形状保持部１４ｒと左側襟首形状保持部１４ｌと右側襟元形状保持部１５ｒと左側襟元形状保持部１５ｌとで構成されてもよい。
【００２４】
フック部１１は、一方の端部に自由端を形成し、上部を上方向にＵ字状に湾曲し、他方の端部を下方に向ける部分である部分である。
フック部１１は、長尺形状を有し、正面から見て、一方の端部に自由端を形成し、上部を上方向にＵ字状に湾曲し、他方の端部を下方に向ける部分である部分であってもよい。
フック部１１は、下方に向ける部分を後述する長尺部１２の上端に連結し、長尺部１２に繋がる。
例えば、フック部１１は、下方に向ける部分を後述する長尺部１２に段差無く滑らかに連結して、長尺部１２に繋がる。
【００２５】
フック部１１は、チップ止め部を設けられてもよい。
チップ止め部は、主にクリーニング屋、商店等で用いられるタグ、サイズチップ、色分けチップその他を取り付ける部分である。
タグは、管理用のデータを印字されたものである。例えば、タグは、顧客を識別できる情報を印字される。
サイズチップは、上衣のサイズ、型番を表示するものである。
色分けチップは、管理情報を色に分けたチップである。
例えば、チップ止め部１８は、フック部１１に形成された長穴である。
【００２６】
長尺部１２は、上下方向に伸びる長尺形状を形成し、上部をフック部１１の他方の端部に支持される部分である。
長尺部１２は、上下方向に伸びる長尺形状を形成し、上部をフック部１１の他方の端部に直接にまたは関節に支持されてもよい。
例えば、長尺部１２は、上下方向に伸びる長尺形状を形成し、上部をフック部１１の他方の端部に連結する部分である。
長尺部１２は、上下方向に伸びる長尺形状を形成し、上部をフック部１１の他方の端部に連結し、フック部１１に繋がってもよい。
長尺部１２は、横から見て、途中から屈曲し下方に移るのに従って上衣の背側へ移る様に傾斜する傾斜部１２ｂを有していてもよい。
例えば、長尺部１２は、フック部１１の下端に連結した箇所から下方に延びる懸垂部１２ａと横から見て懸垂部１２ａの下端から屈曲し下方に移るのに従って上衣の背側へ移る様に傾斜する傾斜部１２ｂとで構成される。
例えば、長尺部１２は、フック部１１の下端に連結した箇所から下方に真直ぐに延びる懸垂部１２ａと横から見て垂直部の下端から屈曲し下方に移るのに従って上衣の背側へ移る様に傾斜する傾斜部１２ｂとで構成される。
【００２７】
右側肩形状保持部１３ｒは、上衣の右肩を支える部分である。
右側方形状保持部１３ｒは、上衣の右肩の側に位置し左側を長尺部１２に連結し、上衣の右側の肩部のカーブに沿って延びる輪郭である右側肩部輪郭Ａｒを形成してもよい。
右側方形状保持部１３ｒは、上衣の右肩の側に位置し、左側を長尺部に連結し、上から見て長尺部１２に連結する箇所から所定の距離だけ上衣の背面に移る様に延びさらに上衣の右側の肩部のカーブに沿って延びる輪郭である右側肩部輪郭Ａｒを形成してもよい。
右側肩形状保持部１３ｒは、上衣の右肩の側に位置し、左側を長尺部１２に連結し、上から見て長尺部１２に連結する箇所から上衣の背側へ移るに従って右方向に移る様に傾斜して延びさらに上衣の右側の肩部のカーブに沿って延びる輪郭である右側肩部輪郭Ａｒを形成してもよい。
右側肩形状保持部１３ｒは、上衣の右肩の側に位置し、左右に長い長尺形状を有し、左側の端部を長尺部１２に連結し、上から見て長尺部１２に連結する箇所から上衣の背側へ移るに従って右方向に移る様に傾斜して延び、さらに上衣の右側の肩部のカーブに沿って延びる輪郭である右側肩部輪郭Ａｒを形成してもよい。
右側肩形状保持部１３ｒは、左側肩形状保持部１３ｌに長尺部１２を介して繋がる形状をしてもよい。
右側肩形状保持部１３ｒは、左側肩形状保持部１３ｌに直接には連結しない形状をしていてもよい。
【００２８】
左側肩形状保持部１３ｌは、上衣の左肩を支える部分である。
左側肩形状保持部１３ｌは、上衣の左肩の側に位置し、右側を長尺部１２に連結し、上衣の左側の肩部のカーブに沿って延びる輪郭である左側肩部輪郭Ａｌを形成してもよい。
左側肩形状保持部１３ｌは、上衣の左肩の側に位置し、右側を長尺部に連結し、上から見て長尺部１２に連結する箇所から所定の距離だけ上衣の背面に移る様に延びさらに上衣の左側の肩部のカーブに沿って延びる輪郭である左側肩部輪郭Ａｌを形成してもよい。
左側肩形状保持部１３ｌは、上衣の左肩の側に位置し、右側を長尺部１２に連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成してもよい。
左側肩形状保持部１３ｌは、上衣の左肩の側に位置し、左右に長い長尺形状を有し、右側の端部を長尺部１２に連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成してもよい。
左側肩形状保持部１３ｌは、右側肩形状保持部１３ｒに長尺部１２を介して繋がる形状をしてもよい。
左側肩形状保持部１３ｌは、右側肩形状保持部１３ｒに直接には連結しない形状をしていてもよい。
【００２９】
右側襟首形状保持部１４ｒは、上衣の右側の襟首を支える部分である。
右側襟首形状保持部１４ｒは、上衣の右肩の側に位置し、左側を長尺部に連結し、上衣の右側の襟首のカーブに沿って延びる輪郭を形成してもよい。
右側襟首形状保持部１４ｒは、上衣の右肩の側に位置し、左側を長尺部に連結し、上から見て長尺部１２に連結する箇所から所定の距離だけ上衣の背面に移る様に延びさらに上衣の右側の襟首のカーブに沿って延びる輪郭を形成してもよい。
右側襟首形状保持部１４ｒは、上衣の右肩の側に位置し、左側を長尺部に連結し、上から見て長尺部１２に連結する箇所から上衣の背側へ移るに従って右方向に移る様に傾斜して延びさらに上衣の右側の襟首のカーブに沿って延びる輪郭を形成してもよい。
右側襟首形状保持部１４ｒは、下部を右側肩形状保持部１３ｒに連結し右側肩形状保持部に連結する箇所から上衣の右側の襟首のカーブに沿って延びる輪郭を形成してもよい。
右側襟首形状保持部１４ｒは、下部を右側肩形状保持部１３ｒに連結し右側肩形状保持部１３ｒに連結する箇所から右側へ上衣の右側の襟首のカーブに沿って延びる輪郭である右側襟首輪郭Ｄｒを形成してもよい。
右側襟首形状保持部１４ｒは、板状の部分であって、下部を右側肩形状保持部１３ｒに連結し右側肩形状保持部１３ｒに連結する箇所から右側へ上衣の右側の襟首のカーブに沿って延びる輪郭を形成してもよい。
右側襟首形状保持部１４ｒは、下部を右側肩形状保持部１３ｒの上部に連結し右側肩形状保持部１３ｒに連結する箇所から右側へ上衣の右側の襟首のカーブに沿って延びる輪郭を形成してもよい。
右側襟首形状保持部１４ｒは、下部を右側肩形状保持部１３ｒの形成する右側肩部輪郭のうち上衣の右側の肩部のカーブに沿って延びる箇所に連結し、右側肩形状保持部１３ｒに連結する箇所から右側へ上衣の右側の襟首のカーブに沿って延びる輪郭を形成してもよい。
右側襟首形状保持部１４ｒは、左側襟首形状保持部１４ｌに直接には連結しない形状をしていてもよい。
【００３０】
左側襟首形状保持部１４ｌは、上衣の左側の襟首を支える部分である。
左側襟首形状保持部１４ｌは、上衣の左肩の側に位置し、左側を長尺部に連結し、上衣の左側の襟首のカーブに沿って延びる輪郭を形成してもよい。
左側襟首形状保持部１４ｌは、上衣の左肩の側に位置し、左側を長尺部に連結し、上から見て長尺部１２に連結する箇所から所定の距離だけ上衣の背面に移る様に延びさらに上衣の左側の襟首のカーブに沿って延びる輪郭を形成してもよい。
左側襟首形状保持部１４ｌは、上衣の左肩の側に位置し、右側を長尺部に連結し、上から見て長尺部１２に連結する箇所から上衣の背側へ移るに従って左方向に移る様に傾斜して延びさらに上衣の左側の襟首のカーブに沿って延びる輪郭を形成してもよい。
左側襟首形状保持部１４ｌは、下部を左側肩形状保持部１３ｌに連結し、左側肩形状保持部に連結する箇所から上衣の左側の襟首のカーブに沿って延びる輪郭である左側襟首輪郭Ｄｌを形成してもよい。
左側襟首形状保持部１４ｌは、下部を左側肩形状保持部１３ｌに連結し、左側肩形状保持部１３ｌに連結する箇所から左側へ上衣の左側の襟首のカーブに沿って延びる輪郭である左側襟首輪郭ｄｌを形成してもよい。
左側襟首形状保持部１４ｌは、板状の部分であって、下部を左側肩形状保持部１３ｌに連結し左側肩形状保持部１３ｌに連結する箇所から左側へ上衣の左側の襟首のカーブに沿って延びる輪郭を形成してもよい。
左側襟首形状保持部１４ｌは、下部を左側肩形状保持部１３ｌの上部に連結し左側肩形状保持部１３ｌに連結する箇所から左側へ上衣の左側の襟首のカーブに沿って延びる輪郭を形成してもよい。
左側襟首形状保持部１４ｌは、下部を左側肩形状保持部１３ｌの形成する左側肩部輪郭のうち上衣の左側の肩部のカーブに沿って延びる箇所に連結し左側肩形状保持部１３ｌに連結する箇所から左側へ上衣の左側の襟首のカーブに沿って延びる輪郭を形成してもよい。
左側襟首形状保持部１４ｌは、右側襟首形状保持部１４ｒに直接には連結しない形状をしていてもよい。
【００３１】
右側襟元形状保持部１５ｒは、上衣の右側の襟元を支える部分である。
右側襟元形状保持部１５ｒは、上衣の襟元の右側に対応して位置し、長尺部１２に連結し、長尺部１２に連結する箇所から上衣の襟元の右側に対応して右方向へ延びてもよい。
右側襟元形状保持部１５ｒは、上衣の襟元の右側に対応して位置し、長尺部１２の下部に連結し、長尺部１２に連結する箇所から上衣の襟元の右側に対応して右方向へ延びてもよい。
右側襟元形状保持部１５ｒは、上衣の襟元の右側に対応して位置し、長尺部１２の下部に連結し、長尺部１２に連結する箇所から上衣の右側の襟元のカーブに沿って延びる輪郭である右側襟元輪郭Ｅｒを形成してもよい。
右側襟元形状保持部１５ｒは、板状の部分であって、上衣の襟元の右側に対応して位置し、長尺部１２の下部に連結し、長尺部１２に連結する箇所から上衣の右側の襟元のカーブに沿って延びる輪郭を形成してもよい。
【００３２】
右側襟元形状保持部１５ｒが、前から見て略水平に延びて右端部を開放する少なくとも１本のスリットを形成される。
右側襟元形状保持部１５ｒが、前から見て上下方向に整列し上衣の右側の襟首のカーブに沿って略水平に延びて右端部を開放する複数本のスリットを形成されてもよい。
スリットは、一方の端部が閉じて他方の端部が開放された幅狭い長尺の切欠きである。
スリットＳｒは、左端部が閉じて右端部が開放された長尺の切欠きである。
スリットＳｒは、挿入された襟元の根元を挟むことをできる。
スリットＳｒにおいて、閉じた端部の側の切欠きの幅が開放した端部の側の切欠きの幅より広くてもよい。
その様にすると、スリットＳｒに挟まれた襟元の根元が外れにくい。
【００３３】
長尺部１２が横から見て途中から屈曲し下方に移るのに従って上衣の背側へ移る様に傾斜する傾斜部１２ｂを有するときに、右側襟元形状保持部１５ｒの少なくとも一部が傾斜部１２ｂで長尺部１２に各々に連結してもよい。
右側襟元形状保持部１５ｒのスリットＳｒを境にして下部が傾斜部１２ｂで長尺部１２に各々に連結してもよい。
例えば、右側襟元形状保持部１５ｒの上下方向に多段に配列する複数本のスリットＳｒのうちの最上段のスリットＳｒを境にして下部が傾斜部１２ｂで長尺部１２に各々に連結してもよい。
【００３４】
左側襟元形状保持部１５ｌは、上衣の左側の襟元を支える部分である。
左側襟元形状保持部１５ｌは、上衣の襟元の左側に対応して位置し長尺部１２に連結し長尺部に連結する箇所から上衣の襟元の左側に対応して左方向へ延びてもよい。
左側襟元形状保持部１５ｌは、上衣の襟元の左側に対応して位置し長尺部１２の下部に連結し長尺部に連結する箇所から上衣の襟元の左側に対応して左方向へ延びてもよい。
左側襟元形状保持部１５ｌは、上衣の襟元の左側に対応して位置し、長尺部１２の下部に連結し、長尺部１２に連結する箇所から上衣の左側の襟元のカーブに沿って延びる輪郭である左側襟元輪郭Ｅｌを形成してもよい。
左側襟元形状保持部１５ｌは、板状の部分であって、上衣の襟元の左側に対応して位置し、長尺部１２の下部に連結し、長尺部１２に連結する箇所から上衣の左側の襟元のカーブに沿って延びる輪郭を形成してもよい。
【００３５】
左側襟元形状保持部１５ｌが、前から見て略水平に延びて左端部を開放する少なくとも１本のスリットを形成される。
左側襟元形状保持部１５ｒが、前から見て上下方向に整列し上衣の左側の襟首のカーブに沿って略水平に延びて左端部を開放する複数本のスリットを形成されてもよい。
スリットは、一方の端部が閉じて他方の端部が開放された幅狭い長尺の切欠きである。
スリットＳｌは、右端部が閉じて左端部が開放された長尺の切欠きである。
スリットＳｌは、挿入された襟元の根元を挟むことをできる。
スリットＳｌにおいて、閉じた端部の側の切欠きの幅が開放した端部の側の切欠きの幅より広くてもよい。
その様にすると、スリットＳｌに挟まれた襟元の根元が外れにくい。
【００３６】
長尺部１２が横から見て途中から屈曲し下方に移るのに従って上衣の背側へ移る様に傾斜する傾斜部１２ｂを有するときに、左側襟元形状保持部１５ｌの少なくとも一部が傾斜部１２ｂで長尺部１２に各々に連結してもよい。
左側襟元形状保持部１５ｌのスリットＳｌを境にして下部が傾斜部１２ｂで長尺部１２に各々に連結してもよい。
例えば、左側襟元形状保持部１５ｌの上下方向に多段に配列する複数本のスリットＳｌのうちの最上段のスリットＳｌを境にして下部が傾斜部１２ｂで長尺部１２に各々に連結してもよい。
【００３７】
右側襟元形状保持部１５ｒと左側襟元形状保持部１５ｌとが、連結して、一体の部分である襟元形状保持部１５であってもよい。
右側襟元形状保持部１５ｒと左側襟元形状保持部１５ｌとが、連結して、一体の板状または棒状の部分である襟元形状保持部１５であってもよい。
正面から見て、右側襟元形状保持部１５ｒが長尺部１２に連結する箇所から右側に移るに従って上方へ移る様に傾斜する形状をし、左側襟元形状保持部１５ｌが、長尺部１２に連結する箇所から左側に移るに従って上方へ移る様に傾斜する形状をしていてもよい。
上から見て、右側襟元形状保持部１５ｒが長尺部１２に連結する箇所から右側に移るに従って背側へ移る様に傾斜する形状をし、左側襟元形状保持部１５ｌが、長尺部１２に連結する箇所から左側に移るに従って背側へ移る様に傾斜する形状をしていてもよい。
横から見て、右側襟元形状保持部１５ｒが長尺部１２に連結する箇所から背側に移るに従って上方向へ移る様に傾斜する形状をし、左側襟元形状保持部１５ｌが、長尺部１２に連結する箇所から背側に移るに従って上方向へ移る様に傾斜する形状をしていてもよい。
【００３８】
次に、本発明の第一の実施形態にかかるハンガーの作用を、図を基に、説明する。
図１３、図１４、図１５は、ハンガー１０がワイシャツを支持する様子を示す。
フック部１１がワイシャツの首回りから上方へ突出する。
右側肩形状保持部１３ｒが、ワイシャツの右肩部をワイシャツの内側から支持する。
左側唐形状保持部１３ｌが、ワイシャツの左肩部をワイシャツの内側から支持する。
ワイシャツの右腕のそでが、右側肩形状保持部１３ｒの右側の端部から垂れる。
ワイシャツの左腕のそでが、左側肩形状保持部１３ｌの左側の端部から垂れる。
【００３９】
右側襟首形状保持部１４ｒが、ワイシャツの首回りの右側の背側を首回りの内側から支持する。
左側襟首形状保持部１４ｌが、ワイシャツの首回りの左側の背側を首回りの内側から支持する。
右側襟元形状保持部１５ｒが、ワイシャツの首回りの右側の襟元を襟の裏側から支持する。
左側襟元形状保持部１５ｌが、ワイシャツの首回りの左側の襟元を襟の裏側から支持する。
【００４０】
ワイシャツの大小に合わせて、襟元形状保持部１５が襟元を保持する。
例えば、ワイシャツがＳサイズであるとき、襟元形状保持部１５の上辺が襟元を保持する。
図１３は、襟元形状保持部１５の上辺が襟元を保持する様子を示す。
例えば、例えば、ワイシャツがＭサイズであるとき、襟元形状保持部１５の上段のスリットＳｒ、Ｓｌが襟元の根元を挟んで襟裳を保持する。
図１４は、襟元形状保持部１５の上段のスリットＳｒ、Ｓｌが襟元の根元を挟んで襟裳を保持する様子を示す。
例えば、例えば、ワイシャツがＬサイズであるとき、襟元形状保持部１５の下段のスリットＳｒ、Ｓｌが襟元の根元を挟んで襟裳を保持する。
図１５は、襟元形状保持部１５の下段のスリットＳｒ、Ｓｌが襟元の根元を挟んで襟裳を保持する様子を示す。
【００４１】
この様にすると、複数のハンガー１０に各々に支持された複数のワイシャツを前後方向に重ねても、ワイシャツに無用なしわを生じることない、
また、複数のハンガー１０に各々に支持された複数のワイシャツを前後方向に重ねると、複数のワイシャツが無理なく重なり、コンパクトに重ねることができる。
また、ワイシャツの首回りの形状を良好に保つことができる。
また、複数のハンガー１０に各々に支持された複数のワイシャツを前後方向に重ねても、ワイシャツに無用なしわを生じることなく、コンパクトに重ねることができる。
また、ワイシャツの襟元の最上段のボタンをボタンホールにかけることなく、襟元の形状を保持できる。
【００４２】
次に、本発明の第二の実施形態にかかるハンガー１０を、図を元に、説明する。
図７は、本発明の第二の実施形態に係るハンガーの正面図である。図８は、本発明の第二の実施形態に係るハンガーの背面図である。図９は、本発明の第二の実施形態に係るハンガーの平面図である。図１０は、本発明の第二の実施形態に係るハンガーの底面図である。図１１は、本発明の第二の実施形態に係るハンガーの側面図である。  図１２は、本発明の第二の実施形態に係るハンガーのＢ−Ｂ断面図である。
第二の実施形態にかかるハンガーは、第一の実施形態にかかるハンガーの別バージョンであって、上衣をコンパクトに見かけ良く畳むことをできる。
第一の実施形態にかかるハンガーのものと同じものの構造の説明を省略し、異なる点を説明する。
【００４３】
ハンガー１０は、フック部１１と長尺部１２と右側肩形状保持部１３ｒと左側肩形状保持部１３ｌとで構成される。
ハンガー１０は、フック部１１と長尺部１２と右側肩形状保持部１３ｒと左側肩形状保持部１３ｌと右側襟元形状保持部１５ｒと左側襟元形状保持部１５ｌとで構成されてもよい。
ハンガー１０は、フック部１１と長尺部１２と右側肩形状保持部１３ｒと左側肩形状保持部１３ｌと右側襟首形状保持部１４ｒと左側襟首形状保持部１４ｌと右側襟元形状保持部１５ｒと左側襟元形状保持部１５ｌとで構成されてもよい。
【００４４】
フック部１１と長尺部１２と右側襟首形状保持部１４ｒと左側襟首形状保持部１４ｌと右側襟元形状保持部１５ｒと左側襟元形状保持部１５ｌの構造は、第一の実施形態にかかるハンガーのものと同じである。
【００４５】
右側肩形状保持部１３ｒは、上衣の右肩を被う箇所を支える部分である。
右側肩形状保持部１３ｒは、上衣の右肩の側に位置し、左側を長尺部１２に連結し、上から見て長尺部１２に連結する箇所から所定の距離だけ上衣の背面に移る様に延びさらに上衣の右側の肩部のカーブに沿って延びる輪郭である右側肩部輪郭Ａｒを形成し、さらに右側肩部輪郭Ａｒを形成する部分を長尺部に連結する箇所より下方の位置で長尺部に連結し上から見て長尺部に連結する箇所から上衣の背側へ移るに従って右方向に移る様に傾斜して延びさらに右側肩部輪郭より下方の位置を上衣の背に沿って延びる輪郭である右側下部輪郭Ｂｒを形成してもよい。
右側肩形状保持部１３ｒは、上衣の右肩の側に位置し、左側を長尺部１２に連結し、上から見て長尺部１２に連結する箇所から上衣の背側へ移るに従って右方向に移る様に傾斜して延びさらに上衣の右側の肩部のカーブに沿って延びる輪郭である右側肩部輪郭Ａｒを形成し、さらに右側肩部輪郭Ａｒを形成する部分を長尺部に連結する箇所より下方の位置で長尺部に連結し上から見て長尺部に連結する箇所から上衣の背側へ移るに従って右方向に移る様に傾斜して延びさらに右側肩部輪郭より下方の位置を上衣の背に沿って延びる輪郭である右側下部輪郭Ｂｒを形成してもよい。
右側肩形状保持部１３ｒは、上衣の右肩の側に位置し、長尺形状を有し、左側の端部を長尺部１２に連結し、上から見て長尺部１２に連結する箇所から上衣の背側へ移るに従って右方向に移る様に傾斜して延びさらに上衣の右側の肩部のカーブに沿って延びる輪郭である右側肩部輪郭Ａｒを形成し、さらに右側肩部輪郭Ａｒを形成する部分を長尺部に連結する箇所より下方の位置で長尺部に連結し上から見て長尺部に連結する箇所から上衣の背側へ移るに従って右方向に移る様に傾斜して延びさらに右側肩部輪郭Ａｒより下方の位置を上衣の背に沿って延びる輪郭である右側下部輪郭Ｂｒを形成してもよい。
さらに、右側肩形状保持部１３ｒは、右側肩部輪郭Ａｒの右端部と右側下部輪郭Ｂｒの右端部とを繋ぐ上下方向に延びる右側懸垂輪郭Ｃｒを形成してもよい。
右側肩形状保持部１３ｒは、左側肩形状保持部１３ｌに長尺部１２を介して繋がる形状をしてもよい。
右側肩形状保持部１３ｒは、左側肩形状保持部１３ｌに直接には連結しない形状をしていてもよい。
右側肩形状保持部１３ｒの幅寸法は、第一の実施形態にかかるハンガーの右側肩形状保持部１３ｒの幅寸法より小さい。
【００４６】
左側肩形状保持部１３ｌは、上衣の左肩を被う箇所を支える部分である。
左側肩形状保持部１３ｌは、上衣の左肩の側に位置し、右側を長尺部１２に連結し上から見て長尺部１２に連結する箇所から所定の距離だけ上衣の背面に移る様に延びさらに上衣の左側の肩部のカーブに沿って延びる輪郭である左側肩部輪郭Ａｌを形成し、さらに左側肩部輪郭Ａｌを形成する部分を長尺部に連結する箇所より下方の位置で長尺部に連結し上から見て長尺部に連結する箇所から上衣の背側へ移るに従って左方向に移る様に傾斜して延びさらに左側肩部輪郭より下方の位置を上衣の背に沿って延びる輪郭である左側下部輪郭Ｂｌを形成してもよい。
左側肩形状保持部１３ｌは、上衣の左肩の側に位置し、右側を長尺部１２に連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成し、さらに左側肩部輪郭Ａｌを形成する部分を長尺部に連結する箇所より下方の位置で長尺部に連結し上から見て長尺部に連結する箇所から上衣の背側へ移るに従って左方向に移る様に傾斜して延びさらに左側肩部輪郭より下方の位置を上衣の背に沿って延びる輪郭である左側下部輪郭Ｂｌを形成してもよい。
左側肩形状保持部１３ｌは、上衣の左肩の側に位置し、長尺形状を有し、右側の端部を長尺部１２に連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成し、さらに左側肩部輪郭Ａｌを形成する部分を長尺部に連結する箇所より下方の位置で長尺部に連結し上から見て長尺部に連結する箇所から上衣の背側へ移るに従って左方向に移る様に傾斜して延びさらに左側肩部輪郭Ａｌより下方の位置を上衣の背に沿って延びる輪郭である左側下部輪郭Ｂｌを形成してもよい。
さらに、左側肩形状保持部１３ｌは、左側肩部輪郭Ａｌの左端部と左側下部輪郭Ｂｌの左端部とを繋ぐ上下方向に延びる左側懸垂輪郭Ｃｌを形成してもよい。
左側肩形状保持部１３ｌは、右側肩形状保持部１３ｒに長尺部１２を介して繋がる形状をしてもよい。
左側肩形状保持部１３ｌは、右側肩形状保持部１３ｒに直接には連結しない形状をしていてもよい。
左側肩形状保持部１３ｌの幅寸法は、第一の実施形態にかかるハンガーの左側肩形状保持部１３ｌの幅寸法より小さい。
【００４７】
次に、本発明の第二の実施形態にかかるハンガーの作用を、図を基に、説明する。
図１３、図１４、図１５は、ハンガー１０がワイシャツを支持する様子を示す。
フック部１１がワイシャツの首回りから上方へ突出する。
右側肩形状保持部１３ｒが、ワイシャツの右肩部をワイシャツの内側から支持する。
左側唐形状保持部１３ｌが、ワイシャツの左肩部をワイシャツの内側から支持する。
右側襟首形状保持部１４ｒが、ワイシャツの首回りの右側の背側を首回りの内側から支持する。
左側襟首形状保持部１４ｌが、ワイシャツの首回りの左側の背側を首回りの内側から支持する。
右側襟元形状保持部１５ｒが、ワイシャツの首回りの右側の襟先を襟の内側から支持する。
左側襟元形状保持部１５ｌが、ワイシャツの首回りの左側の襟先を襟の内側から支持する。
【００４８】
ワイシャツの大小に合わせて、襟元形状保持部１５が襟元を保持する。
例えば、ワイシャツがＳサイズであるとき、襟元形状保持部１５の上辺が襟元を保持する。
図１３は、襟元形状保持部１５の上辺が襟元を保持する様子を示す。
例えば、例えば、ワイシャツがＭサイズであるとき、襟元形状保持部１５の上段のスリットＳｒ、Ｓｌが襟元の根元を挟んで襟裳を保持する。
図１４は、襟元形状保持部１５の上段のスリットＳｒ、Ｓｌが襟元の根元を挟んで襟裳を保持する様子を示す。
例えば、例えば、ワイシャツがＬサイズであるとき、襟元形状保持部１５の下段のスリットＳｒ、Ｓｌが襟元の根元を挟んで襟裳を保持する。
図１５は、襟元形状保持部１５の下段のスリットＳｒ、Ｓｌが襟元の根元を挟んで襟裳を保持する様子を示す。
【００４９】
ワイシャツの幅を右側肩形状保持部１３ｒと左側肩形状保持部１３ｌの全体の幅寸法に合わせて、折り畳む。
ワイシャツの袖が、ハンガーの裏側で折り畳めれる。
この様にすると、複数のハンガー１０に各々に支持された複数のワイシャツを前後方向に重ねても、ワイシャツに無用なしわを生じることない、
また、複数のハンガー１０に各々に支持された複数のワイシャツを前後方向に重ねると、複数のワイシャツが無理なく重なり、コンパクトに重ねることができる。
また、ワイシャツの首回りの形状を良好に保つことができる。
また、複数のハンガー１０に各々に支持された複数のワイシャツを前後方向に重ねても、ワイシャツに無用なしわを生じることなく、コンパクトに重ねることができる。
また、ワイシャツの襟元の最上段のボタンをボタンホールにかけることなく、襟元の形状を保持できる。
【００５０】
次ぎに、本発明の実施形態にかかる襟元形状保持部材を、図を基に、説明する。
図２２は、本発明の第一の実施形態に係る襟元形状保持部材の正面図である。
襟元形状保持部材は、上衣の襟元の形状を保持するためのである。
襟元形状保持部材は、右側襟元形状保持部１５ｒと左側襟元形状保持部１５ｌとで構成される。
【００５１】
右側襟元形状保持部１５ｒは、上衣の右側の襟元を支える部分である。
右側襟元形状保持部１５ｒは、上衣の襟元の右側に対応して位置し、上衣の襟元の右側に対応して右方向へ延びてもよい。
右側襟元形状保持部１５ｒは、上衣の襟元の右側に対応して位置し、上衣の左右を分ける中心線から、上衣の襟元の右側に対応して右方向へ延びてもよい。
右側襟元形状保持部１５ｒは、上衣の襟元の右側に対応して位置し、上衣の襟元の右側に対応して右方向へ延びてもよい。
右側襟元形状保持部１５ｒは、上衣の襟元の右側に対応して位置し、上衣の右側の襟元のカーブに沿って延びる輪郭である右側襟元輪郭Ｅｒを形成してもよい。
右側襟元形状保持部１５ｒは、板状の部分であって、上衣の襟元の右側に対応して位置し、上衣の右側の襟元のカーブに沿って延びる輪郭を形成してもよい。
【００５２】
右側襟元形状保持部１５ｒが、前から見て略水平に延びて右端部を開放する少なくとも１本のスリットを形成される。
右側襟元形状保持部１５ｒが、前から見て上下方向に整列し上衣の右側の襟首のカーブに沿って略水平に延びて右端部を開放する複数本のスリットを形成されてもよい。
スリットは、一方の端部が閉じて他方の端部が開放された幅狭い長尺の切欠きである。
スリットＳｒは、左端部が閉じて右端部が開放された長尺の切欠きである。
スリットＳｒは、挿入された襟元の根元を挟むことをできる。
スリットＳｒにおいて、閉じた端部の側の切欠きの幅が開放した端部の側の切欠きの幅より広くてもよい。
その様にすると、スリットＳｒに挟まれた襟元の根元が外れにくい。
【００５３】
左側襟元形状保持部１５ｌは、上衣の左側の襟元を支える部分である。
左側襟元形状保持部１５ｌは、上衣の襟元の左側に対応して位置し、上衣の襟元の左側に対応して左方向へ延びてもよい。
左側襟元形状保持部１５ｌは、上衣の襟元の左側に対応して位置し、上衣の左右を分ける中心線から上衣の襟元の左側に対応して左方向へ延びてもよい。
左側襟元形状保持部１５ｌは、上衣の襟元の左側に対応して位置し、上衣の襟元の左側に対応して左方向へ延びてもよい。
左側襟元形状保持部１５ｌは、上衣の襟元の左側に対応して位置し、上衣の左側の襟元のカーブに沿って延びる輪郭である左側襟元輪郭Ｅｌを形成してもよい。
左側襟元形状保持部１５ｌは、板状の部分であって、上衣の襟元の左側に対応して位置し上衣の左側の襟元のカーブに沿って延びる輪郭を形成してもよい。
【００５４】
左側襟元形状保持部１５ｌが、前から見て略水平に延びて左端部を開放する少なくとも１本のスリットを形成される。
左側襟元形状保持部１５ｒが、前から見て上下方向に整列し上衣の左側の襟首のカーブに沿って略水平に延びて左端部を開放する複数本のスリットを形成されてもよい。
スリットは、一方の端部が閉じて他方の端部が開放された幅狭い長尺の切欠きである。
スリットＳｌは、右端部が閉じて左端部が開放された長尺の切欠きである。
スリットＳｌは、挿入された襟元の根元を挟むことをできる。
スリットＳｌにおいて、閉じた端部の側の切欠きの幅が開放した端部の側の切欠きの幅より広くてもよい。
その様にすると、スリットＳｌに挟まれた襟元の根元が外れにくい。
【００５５】
右側襟元形状保持部１５ｒと左側襟元形状保持部１５ｌとの連結する箇所が、横から見て途中から屈曲し下方に移るのに従って上衣の背側へ移る様に傾斜する傾斜箇所を有するときに、右側襟元形状保持部１５ｒの少なくとも一部と左側襟元形状保持部１５ｌの少なくとも一部とが傾斜箇所で互いに連結してもよい。
右側襟元形状保持部１５ｒのスリットＳｒを境にして下部が傾斜箇所で連結してもよい。  
例えば、右側襟元形状保持部１５ｒの上下方向に多段に配列する複数本のスリットＳｒのうちの最上段のスリットＳｒを境にして下部が傾斜箇所で連結してもよい。
左側襟元形状保持部１５ｌのスリットＳｌを境にして下部が傾斜箇所で連結してもよい。
例えば、左側襟元形状保持部１５ｌの上下方向に多段に配列する複数本のスリットＳｌのうちの最上段のスリットＳｌを境にして下部が傾斜箇所で連結してもよい。
【００５６】
襟元形状保持部材が、右側襟元形状保持部１５ｒと左側襟元形状保持部１５ｌとを、連結箇所で連結して、一体の形状を保持してもよい。
襟元形状保持部材が、右側襟元形状保持部１５ｒと左側襟元形状保持部１５ｌとを、連結箇所で連結して、一体の板状または棒状の形状を保持してもよい。
正面から見て、右側襟元形状保持部１５ｒが連結箇所から右側に移るに従って上方へ移る様に傾斜する形状をし、左側襟元形状保持部１５ｌが、連結箇所から左側に移るに従って上方へ移る様に傾斜する形状をしていてもよい。
上から見て、右側襟元形状保持部１５ｒが連結箇所から右側に移るに従って背側へ移る様に傾斜する形状をし、左側襟元形状保持部１５ｌが、連結箇所から左側に移るに従って背側へ移る様に傾斜する形状をしていてもよい。
横から見て、右側襟元形状保持部１５ｒが連結箇所から背側に移るに従って上方向へ移る様に傾斜する形状をし、左側襟元形状保持部１５ｌが、連結箇所から背側に移るに従って上方向へ移る様に傾斜する形状をしていてもよい。
【００５７】
本発明の実施形態に係るハンガー１０は、その構成により、以下の効果を有する。
フック部１１の下に長尺部１２を連結し、右側肩形状保持部１３ｒが長尺部１２の連結箇所から後方に延びさらに右側の肩部に沿って延びる輪郭を形成し、左側肩形状保持部１３ｌが長尺部１２の連結箇所から後方に延びさらに左側の肩部に沿って延びる輪郭を形成し、水平に延び右端部を開放する少なくも１本のスリットＳｒを形成された右側襟元形状保持部１５ｒが襟元に対応して長尺部に連結した箇所から右方向に延び、水平に延び左端部を開放する少なくも１本のスリットＳｌを形成された左側襟元形状保持部１５ｌが襟元に対応して長尺部に連結した箇所から左方向に延びる様にしたので、上衣をハンガー１０に掛けたときに、襟元の根元をスリットＳｒ、Ｓｌに差し込むことをでき、上衣の左右の肩部の形状を保持し、襟元の形状を保持できる。
また、襟元形状保持部１５が上下方向に整列する複数本のスリットＳｒ、Ｓｌを形成される様にしたので、上衣をハンガーに掛けたときに、上衣の大小に合わせて襟元の根元を複数のスリットのうちのどれかに差し込むことをでき、上衣の左右の肩部の形状を保持でき、襟元の形状を保持できる。
また、襟元形状保持部１５の少なくとも一部が長尺部１２の途中から屈曲し下方に移るのに従って上衣の背側へ移る様に傾斜する傾斜部１２ｂに連結する様にしたので、上衣をハンガー１０に掛けたときに、襟元の根元を立体的に支持でき、上衣の左右の肩部の形状を保持でき、襟元の形状を保持できる。
また、フック部１１の下に長尺部１２を連結し、右側肩形状保持部１３ｒが長尺部１２の連結箇所から後方に延びさらに右側の肩部に沿って延びる輪郭を形成し、左側肩形状保持部１３ｌが長尺部１２の連結箇所から後方に延びさらに左側の肩部に沿って延びる輪郭を形成する様にしたので、上衣をハンガー１０に掛けたときに、上衣の左右の肩部の形状を保持できる。
また、フック部１１の下に長尺部１２を連結し、右側肩形状保持部１３ｒが長尺部１２の連結箇所から右側後方に傾斜して延びさらに右側の肩部に沿って延びる輪郭を形成し、左側肩形状保持部１３ｌが長尺部１２の連結箇所から左側後方に傾斜して延びさらに左側の肩部に沿って延びる輪郭を形成する様にしたので、上衣をハンガーに掛けたときに、上衣の左右の肩部の形状を保持できる。
また、右側襟首形状保持部１４ｒが長尺部の連結箇所から右側後方に傾斜して延びさらに右側の襟首に沿って延びる輪郭を形成し、左側襟首形状保持部１４ｌが長尺部の連結箇所から左側後方に傾斜して延びさらに左側の襟首に沿って延びる輪郭を形成する様にしたので、上衣をハンガーに掛けたときに、上衣の襟首の形状を保持できる。
また、襟首の形状を保持する部分と肩の形状を保持する部分とを連結し、連結部から襟首に沿った輪郭を形成したので、上衣をハンガー１０に掛けたときに、上衣の襟首と肩とが繋がる形状を保持できる。
また、右側肩形状保持部１４ｒが長尺部１２の連結箇所から右側後方に傾斜して延びさらに右側の肩部より下方の位置に沿って延びる輪郭を形成し、左側肩形状保持部１４ｌが長尺部１２の連結箇所から左側後方に傾斜して延びさらに右側の肩部より下方の位置に沿って延びる輪郭を形成する様にしたので、上衣をハンガーに掛けたときに、上衣の左右の背部の形状を保持できる。
【００５８】
本発明の実施形態に係る襟元形状保持部材は、その構成により、以下の効果を有する。
水平に延び右端部を開放する少なくも１本のスリットを形成された右側襟元形状保持部が襟元に対応して長尺部に連結した箇所から右方向に延び、水平に延び左端部を開放する少なくも１本のスリットを形成された左側襟元形状保持部が襟元に対応して長尺部に連結した箇所から左方向に延びる様にしたので、襟元の根元をスリットに差し込むことをでき、襟元の形状を保持できる。
また、襟元形状保持部が上下方向に整列する複数本のスリットを形成される様にしたので、上衣をハンガーに掛けたときに、上衣の大小に合わせて襟元の根元を複数のスリットのうちのどれかに差し込むことをでき、襟元の形状を保持できる。
【００５９】
本発明は以上に述べた実施形態に限られるものではなく、発明の要旨を逸脱しない範囲で各種の変更が可能である。
ワイシャツをハンガーで支持する場合を例に、説明したが、これに限定されない、例えば、Ｔシャツをハンガーで支持してもよい。この場合、右側襟首形状保持部１４ｒと左側襟首形状保持部１４ｌとはＴシャツの丸い首回りを内側から支持する。
襟元形状保持部が上下方向に２段に整列した左右各々に２本のスリットを形成する例で説明したが、これに限定されない。例えば、上下方向に３〜Ｎ段に整列した左右各々に２本のスリットを形成してもよい。例えば、左右１対のスリットを形成してもよい。
襟元形状保持部１５に形成される１本または複数本のスリットが前から見て上衣の右方向または左方向に略水平に延びる例で説明したが、これに限定されない。襟元形状保持部に形成される１本または複数本のスリットが前から見て上衣の右方向または左方向に略水平軸に交差して延びてもよい。例えば、図１６に、スリットが前から見て上衣の右方向または左方向に移動するに従い上方向に移動する様に延びる様子を示される。
右側または左側の肩形状保持部１３が上衣の右側または左側の肩部の肩幅いっぱいに延びる輪郭を形成する例で説明したが、これに限定されない。例えば、右側または左側の肩形状保持部が上衣の右側または左側の肩部の肩幅のカーブに沿って延び肩幅の途中で途切れる輪郭を形成してもよい。例えば、図１７が、右側または左側の肩形状保持部が上衣の右側または左側の肩部の肩幅のカーブに沿って延び肩幅の途中で途切れる輪郭を形成している様子を示す。
襟首形状保持部１４が左右に中空を形成する例で説明したが、これに限定されない。例えば、襟首形状保持部が中空を形成しなくてもよい。図１８は、襟首形状保持部が中空を形成しない様子を示す。
襟元形状保持部１４が横から見て下方に移るのに従って衣服の背面に移る様に傾斜する輪郭を形成する表面をもつ例で説明したが、これに限定されない。例えば、襟元形状保持部が横から見て下方に略垂直に延びる輪郭を形成する表面をもってもよい。図１９は、襟裳の形状保持部の表面が横から見て下方に略垂直に延びる輪郭を形成する様子を示す。
長尺部１２が上下方向に略真直ぐに延びる長尺形状を形成する例で説明したが、これに限定されない。例えば、長尺部１２が横から見て湾曲しつつ上下方向に延びる長尺形状を形成してもよい。図２０は、長尺部１２が、横から見て、真直ぐ下方へ延びる部分１２ａ、下方へ移動するに従い上衣の背側へ移動する様に延びる部分１２ｂ、真直ぐ下方へ延びる部分１２ｃ、下方へ移動するに従い上衣の表側へ移動する様に延びる部分１２ｄ、真直ぐ延びる部分１２ｅ、下方へ移動するに従い上衣の背側へ移動する様に延びる部分１２ｆが順に連なった様子を示す。
襟首形状保持部１４が、横から見て、下部を肩形状保持部１３に連結し肩形状保持部１３に連結する箇所から上衣の表側へ移動するに従って上方へ移動する様に延びる輪郭を形成する例で説明したがこれに限定されない。襟首形状保持部１４が、横から見て、下部を肩形状保持部１３に連結し肩形状保持部１３に連結する箇所から真上へ移動する様に延びる輪郭を形成してもよい。図２１に、襟首形状保持部１４が、横から見て、下部を肩形状保持部１３に連結し肩形状保持部１３に連結する箇所から真上へ移動する様に延びる輪郭を形成する様子を示す。
【符号の説明】
【００６０】
Ａｒ  右側肩部輪郭
Ａｌ  左側肩部輪郭
Ｂｒ  右側下部輪郭
Ｂｌ  左側下部輪郭
Ｃｒ  右側懸垂輪郭
Ｃｌ  左側懸垂輪郭
Ｄｒ  右側襟首輪郭
Ｄｌ  左側襟首輪郭
Ｅｒ  右側襟元輪郭
Ｅｌ  左側襟元輪郭
Ｓｌ  スリット
Ｓｒ  スリット
１０    ハンガー
１１    フック部
１２    長尺部
１２ａ  懸垂部
１２ｂ  傾斜部
１２ｃ  懸垂部
１２ｄ  傾斜部
１２ｅ  懸垂部
１２ｆ  傾斜部
１３ｒ  右側肩形状保持部
１３ｌ  左側肩形状保持部
１４ｒ  右側襟首形状保持部
１４ｌ  左側襟首形状保持部
１５    襟元形状保持部
１５ｒ  右側襟元形状保持部
１５ｌ  右側襟元形状保持部
１８    チップ止め部
【先行技術文献】
【特許文献】
【００６１】
【特許文献１】実用新案登録第３１１８４１８号
【特許文献２】実用新案登録第３００２９３６号
【特許文献３】特開２００４−３４４４４５号
【特許文献４】実用新案登録第３１４４４５３号
【特許文献５】特開平８−１０１２６号
【特許文献６】意匠登録第１１４９８４５号
【特許文献７】意匠登録第１１４９８２９号
【特許文献８】意匠登録第１２４７９１３号
【特許文献９】意匠登録第１３０４８９３号
【特許文献１０】意匠登録第１２８１６６３号
【特許文献１１】意匠登録第１３３５０９４号
【図１】
2014168610.tif 000003
【図２】
2014168610.tif 000004
【図３】
2014168610.tif 000005
【図４】
2014168610.tif 000006
【図５】
2014168610.tif 000007
【図６】
2014168610.tif 000008
【図７】
2014168610.tif 000009
【図８】
2014168610.tif 000010
【図９】
2014168610.tif 000011
【図１０】
2014168610.tif 000012
【図１１】
2014168610.tif 000013
【図１２】
2014168610.tif 000014
【図１３】
2014168610.tif 000015
【図１４】
2014168610.tif 000016
【図１５】
2014168610.tif 000017
【図１６】
2014168610.tif 000018
【図１７】
2014168610.tif 000019
【図１８】
2014168610.tif 000020
【図１９】
2014168610.tif 000021
【図２０】
2014168610.tif 000022
【図２１】
2014168610.tif 000023
【図２２】
2014168610.tif 000024